【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
主要成分と少量成分とを含む液体供給物の前記少量成分を濃縮する方法であって、前記少量成分は、非イオン性であり、約１５０ｇ／モル未満の分子量を有し、前記液体供給物中の前記少量成分の濃度は、少なくとも、重量で約０．１％〜約５０％未満であり、前記方法は、
前記主要成分と前記少量成分とを含む前記液体供給物を受け取る第１のフィルタ内の濾過媒体を横断する液圧差を確立することにより、前記液体供給物に対して前記主要成分が富化された第１の透過物と、前記液体供給物に対して前記少量成分が富化された第１の残余分とを生産することと、
前記第１の透過物の少なくとも一部を受け取る第２のフィルタ内の濾過媒体を横断する液圧差を確立することにより、前記第１の透過物に対して前記主要成分が富化された第２の透過物と、前記第１の透過物に対して前記少量成分が富化された第２の残余分とを生産することと、
前記第２の残余分の少なくとも一部を受け取る第３のフィルタ内の濾過媒体を横断する液圧差を確立することにより、前記第２の残余分に対して前記主要成分が富化された第３の透過物と、前記第２の残余分に対して前記少量成分が富化された第３の残余分とを生産することと、
前記第３の残余分の少なくとも一部を前記第１のフィルタの残余分側に再循環させ、前記第３の残余分の前記一部を前記液体供給物の少なくとも一部と混合することと
を含み、
前記第３の残余分中の前記少量成分の濃度および前記液体供給物中の前記少量成分の濃度のうちの低い方は、前記第３の残余分中の前記少量成分の濃度および前記液体供給物中の前記少量成分の濃度のうちの高い方の少なくとも約０．５倍である、方法。
【請求項２】
主要成分と少量成分とを含む液体供給物の前記少量成分を濃縮する方法であって、前記少量成分は、非イオン性であり、約１５０ｇ／モル未満の分子量を有し、前記液体供給物中の前記少量成分の濃度は、少なくとも、重量で約０．１％〜約５０％未満であり、前記方法は、
前記主要成分と前記少量成分とを含む前記液体供給物を受け取る第１のフィルタ内の濾過媒体を横断する液圧差を確立することにより、前記液体供給物に対して前記主要成分が富化された第１の透過物と、前記液体供給物に対して前記少量成分が富化された第１の残余分とを生産することと、
前記第１の透過物の少なくとも一部を受け取る第２のフィルタ内の濾過媒体を横断する液圧差を確立することにより、前記第１の透過物に対して前記主要成分が富化された第２の透過物と、前記第１の透過物に対して前記少量成分が富化された第２の残余分とを生産することと、
前記第１の残余分の少なくとも一部を受け取る第３のフィルタ内の濾過媒体を横断する液圧差を確立することにより、前記第１の残余分に対して前記主要成分が富化された第３の透過物と、前記第１の残余分に対して前記少量成分が富化された第３の残余分とを生産することと、
前記第２の残余分の少なくとも一部を前記第３の透過物の少なくとも一部と混合することと
を含み、
前記少量成分は、ある重量パーセントにおいて前記第２の残余分内に存在し、前記少量成分は、ある重量パーセントにおいて前記第３の透過物内に存在し、
前記第２の残余分中の前記少量成分の濃度および前記第３の透過物中の前記少量成分の濃度のうちの低い方は、前記第２の残余分中の前記少量成分の濃度および前記第３の透過物中の前記少量成分の濃度のうちの高い方の少なくとも約０．５倍である、方法。
【請求項３】
前記液体供給物は、アルコール飲料である、請求項１〜２のいずれか一項に記載の方法。
【請求項４】
前記液体供給物は、ビールである、請求項１〜３のいずれか一項に記載の方法。
【請求項５】
前記主要成分は、水である、請求項１〜４のいずれか一項に記載の方法。
【請求項６】
前記少量成分は、エタノールである、請求項１〜５のいずれか一項に記載の方法。
【請求項７】
前記液体供給物中の前記少量成分の濃度は、少なくとも、重量で約１％〜重量で約５０％未満である、請求項１〜６のいずれか１項に記載の方法。
【請求項８】
前記少量成分は、重量で前記液体供給物中で２番目に豊富な成分である、請求項１〜７のいずれか１項に記載の方法。
【請求項９】
前記第１のフィルタ、前記第２のフィルタ、および／または前記第３のフィルタの濾過媒体に関する前記少量成分の排除率は、約１０％〜約９９％である、請求項１〜８のいずれか１項に記載の方法。
【請求項１０】
前記第１のフィルタ、前記第２のフィルタ、および／または前記第３のフィルタの濾過媒体に関する前記少量成分の排除率は、約１０％〜約９５％である、請求項１〜９のいずれか１項に記載の方法。
【請求項１１】
前記第１のフィルタ、前記第２のフィルタ、および／または前記第３のフィルタの濾過媒体に関する前記少量成分の排除率は、約３５％〜約９０％である、請求項１〜１０のいずれか１項に記載の方法。
【請求項１２】
前記第１のフィルタ、前記第２のフィルタ、および／または前記第３のフィルタの濾過媒体に関する前記少量成分の排除率は、約６０％〜約９０％である、請求項１〜１１のいずれか１項に記載の方法。
【請求項１３】
別の液体供給物を受け取る第４のフィルタ内の第４の濾過媒体を横断する液圧差が、確立されることにより、前記別の液体供給物に対して前記主要成分が富化された第４の透過物と、前記別の液体供給物に対して前記少量成分が富化された第４の残余分とを生産し、前記第１のフィルタによって受け取られた前記液体供給物は、前記第４の透過物または前記第４の残余分である、請求項１〜１２のいずれか一項に記載の方法。
【請求項１４】
前記第１、第２、第３、および第４のフィルタのうちの少なくとも１つ内の液体は、０℃と８℃との間の温度に維持される、請求項１３に記載の方法。
【請求項１５】
前記第１のフィルタと前記第２のフィルタとは、直接流体的に接続されている、請求項１〜１４のいずれか１項に記載の方法。
【請求項１６】
前記第２のフィルタと前記第３のフィルタとは、直接流体的に接続されている、請求項１〜１５のいずれか１項に記載の方法。
【請求項１７】
前記第１のフィルタの濾過媒体、前記第２のフィルタの濾過媒体、および前記第３のフィルタの濾過媒体のうちの少なくとも１つは、ポリマー濾過膜を備えている、請求項１〜１６のいずれか１項に記載の方法。
【請求項１８】
前記第４のフィルタの濾過媒体は、濾過膜を備えている、請求項１３〜１７のいずれか１項に記載の方法。
【請求項１９】
前記濾過膜は、逆浸透膜を備えている、請求項１７〜１８のいずれか１項に記載の方法。
【請求項２０】
前記濾過膜は、ナノ濾過膜を備えている、請求項１７〜１８のいずれか１項に記載の方法。
【請求項２１】
前記濾過膜は、限外濾過膜を備えている、請求項１７〜１８のいずれか１項に記載の方法。
【請求項２２】
濾過システムであって、
第１の濾過媒体を備えている第１のフィルタであって、前記第１の濾過媒体は、前記第１のフィルタの透過物側および残余分側を画定し、前記第１のフィルタの前記残余分側は、供給流に流体的に接続されている、第１のフィルタと、
第２の濾過媒体を備えている第２のフィルタであって、前記第２の濾過媒体は、前記第２のフィルタの透過物側および残余分側を画定し、前記第２のフィルタの前記残余分側は、前記第１のフィルタの前記透過物側に流体的に接続されている、第２のフィルタと、
第３の濾過媒体を備えている第３のフィルタであって、前記第３の濾過媒体は、前記第３のフィルタの透過物側および残余分側を画定し、前記第３のフィルタの前記残余分側は、前記第２のフィルタの前記残余分側に流体的に接続されている、第３のフィルタと、
前記第３のフィルタの前記残余分側と前記第１のフィルタの前記残余分側との間の流体接続と
を備えており、前記濾過システムは、前記第３の残余分中の少量成分の濃度および液体供給物中の前記少量成分の濃度のうちの低い方を、前記第３の残余分中の前記少量成分の濃度および前記液体供給物中の前記少量成分の濃度のうちの高い方の少なくとも約０．５倍であるように制御するように構成されている、濾過システム。
【請求項２３】
濾過システムであって、
第１の濾過媒体を備えている第１のフィルタであって、前記第１の濾過媒体は、前記第１のフィルタの透過物側および残余分側を画定し、前記第１のフィルタの前記残余分側は、供給流に流体的に接続されている、第１のフィルタと、
第２の濾過媒体を備えている第２のフィルタであって、前記第２の濾過媒体は、前記第２のフィルタの透過物側および残余分側を画定し、前記第２のフィルタの前記残余分側は、前記第１のフィルタの前記透過物側に流体的に接続されている、第２のフィルタと、
第３の濾過媒体を備えている第３のフィルタであって、前記第３の濾過媒体は、前記第３のフィルタの透過物側および残余分側を画定し、前記第３のフィルタの前記残余分側は、前記第１のフィルタの前記残余分側に流体的に接続されている、第３のフィルタと、
前記第２のフィルタの前記残余分側と前記第３のフィルタの前記透過物側との間の流体接続と
を備えており、前記濾過システムは、前記第３の残余分中の少量成分の濃度および液体供給物中の前記少量成分の濃度のうちの低い方を、前記第３の残余分中の前記少量成分の濃度および前記液体供給物中の前記少量成分の濃度のうちの高い方の少なくとも約０．５倍であるように制御するように構成されている、濾過システム。
【請求項２４】
第４の濾過媒体を備えている第４のフィルタを備え、前記第４の濾過媒体は、前記第４のフィルタの透過物側および残余分側を画定し、前記第４のフィルタの前記残余分側または前記第４のフィルタの前記透過物側は、前記供給流に流体的に接続されている、請求項２２〜２３のいずれか一項に記載のシステム。
【請求項２５】
前記第４のフィルタの前記残余分側と前記第１のフィルタの前記残余分側との間の流体接続を備えている、請求項２４に記載のシステム。
【請求項２６】
前記第１のフィルタ、前記第２のフィルタ、および前記第３のフィルタのうちの少なくとも１つは、前記濾過媒体が格納されている容器を備え、前記容器は、破裂することなく少なくとも約３９００ｐｓｉゲージの内部液圧に耐えるように構成されている、請求項２２〜２５のいずれか１項に記載のシステム。
【請求項２７】
前記第２のフィルタおよび前記第３のフィルタに流体的に接続され、液体を前記第２のフィルタから前記第３のフィルタに輸送するように構成されているポンプを備え、前記ポンプは、故障することなく少なくとも約４００ｐｓｉの液圧に耐えるように構成されている、請求項２２〜２６のうちのいずれか１項に記載のシステム。
【請求項２８】
前記第１のフィルタと前記第２のフィルタとは、直接流体的に接続されている、請求項２２〜２７のいずれか１項に記載のシステム。
【請求項２９】
前記第２のフィルタと前記第３のフィルタとは、直接流体的に接続されている、請求項２２〜２８のいずれか１項に記載のシステム。
【請求項３０】
前記第１のフィルタの濾過媒体、前記第２のフィルタの濾過媒体、および前記第３のフィルタの濾過媒体のうちの少なくとも１つは、濾過膜を備えている、請求項２２〜２９のいずれか１項に記載のシステム。
【請求項３１】
前記第４のフィルタの濾過媒体は、濾過膜を備えている、請求項２４〜３０のいずれか１項に記載のシステム。
【請求項３２】
前記濾過膜は、逆浸透膜を備えている、請求項３０〜３１のいずれか１項に記載のシステム。
【請求項３３】
前記濾過膜は、ナノ濾過膜を備えている、請求項３０〜３１のいずれか１項に記載のシステム。
【請求項３４】
前記濾過膜は、限外濾過膜を備えている、請求項３０〜３１のいずれか１項に記載のシステム。
【手続補正２】
【補正対象書類名】明細書
【補正対象項目名】００１３
【補正方法】変更
【補正の内容】
【００１３】
本発明の他の利点および新規の特徴は、付随の図と併せて検討されると、本発明の種々の非限定的実施形態の以下の発明を実施するための形態から明白となるであろう。本明細書および参照することによって組み込まれる文書が、矛盾したおよび／または一貫性のない開示を含む場合、本明細書が、優先するものとする。
本発明は、例えば、以下を提供する。
（項目１）
液体供給物の少量成分を濃縮する方法であって、
主要成分と少量成分とを含む前記液体供給物を受け取る第１のフィルタ内の濾過媒体を横断する液圧差を確立することにより、前記液体供給物に対して前記主要成分が富化された第１の透過物と、前記液体供給物に対して前記少量成分が富化された第１の残余分とを生産することと、
前記第１の透過物の少なくとも一部を受け取る第２のフィルタ内の濾過媒体を横断する液圧差を確立することにより、前記第１の透過物に対して前記主要成分が富化された第２の透過物と、前記第１の透過物に対して前記少量成分が富化された第２の残余分とを生産することと、
前記第２の残余分の少なくとも一部を受け取る第３のフィルタ内の濾過媒体を横断する液圧差を確立することにより、前記第２の残余分に対して前記主要成分が富化された第３の透過物と、前記第２の残余分に対して前記少量成分が富化された第３の残余分とを生産することと、
前記第３の残余分の少なくとも一部を前記第１のフィルタの残余分側に再循環させ、前記第３の残余分の前記一部を前記液体供給物の少なくとも一部と混合することと
を含み、
前記少量成分は、ある重量パーセントにおいて前記第３の残余分内に存在し、前記少量成分は、ある重量パーセントにおいて前記液体供給物内に存在し、
前記第３の残余分中の前記少量成分の重量パーセントおよび前記液体供給物中の前記少量成分の重量パーセントのうちの低い方は、前記第３の残余分中の前記少量成分の重量パーセントおよび前記液体供給物中の前記少量成分の重量パーセントのうちの高い方の少なくとも約０．５倍である、方法。
（項目２）
液体供給物の少量成分を濃縮する方法であって、
主要成分と少量成分とを含む前記液体供給物を受け取る第１のフィルタ内の濾過媒体を横断する液圧差を確立することにより、前記液体供給物に対して前記主要成分が富化された第１の透過物と、前記液体供給物に対して前記少量成分が富化された第１の残余分とを生産することと、
前記第１の透過物の少なくとも一部を受け取る第２のフィルタ内の濾過媒体を横断する液圧差を確立することにより、前記第１の透過物に対して前記主要成分が富化された第２の透過物と、前記第１の透過物に対して前記少量成分が富化された第２の残余分とを生産することと、
前記第２の残余分の少なくとも一部を受け取る第３のフィルタ内の濾過媒体を横断する液圧差を確立することにより、前記第２の残余分に対して前記主要成分が富化された第３の透過物と、前記第２の残余分に対して前記少量成分が富化された第３の残余分とを生産することと、
前記第３の残余分の少なくとも一部を前記第１のフィルタの残余分側に再循環させ、前記第３の残余分の一部を前記液体供給物の少なくとも一部と混合することと
を含み、
前記第３の残余分の浸透圧および前記液体供給物の浸透圧のうちの低い方は、前記第３の残余分の浸透圧および前記液体供給物の浸透圧のうちの高い方の少なくとも約０．５倍である、方法。
（項目３）
前記第３の残余分中の前記少量成分の重量パーセントおよび前記液体供給物中の前記少量成分の重量パーセントのうちの低い方は、前記第３の残余分中の前記少量成分の重量パーセントおよび前記液体供給物中の前記少量成分の重量パーセントのうちの高い方の少なくとも約０．７５倍である、項目１−２のうちのいずれか１項に記載の方法。
（項目４）
前記第３の残余分中の前記少量成分の重量パーセントおよび前記液体供給物中の前記少量成分の重量パーセントのうちの低い方は、前記第３の残余分中の前記少量成分の重量パーセントおよび前記液体供給物中の前記少量成分の重量パーセントのうちの高い方の少なくとも約０．９倍である、項目１−２のうちのいずれか１項に記載の方法。
（項目５）
前記第３の残余分中の前記少量成分の重量パーセントおよび前記液体供給物中の前記少量成分の重量パーセントのうちの低い方は、前記第３の残余分中の前記少量成分の重量パーセントおよび前記液体供給物中の前記少量成分の重量パーセントのうちの高い方の少なくとも約０．９５倍である、項目１−２のうちのいずれか１項に記載の方法。
（項目６）
前記第３の残余分中の前記少量成分の重量パーセントおよび前記液体供給物中の前記少量成分の重量パーセントのうちの低い方は、前記第３の残余分中の前記少量成分の重量パーセントおよび前記液体供給物中の前記少量成分の重量パーセントのうちの高い方の少なくとも約０．９８倍である、項目１−２のうちのいずれか１項に記載の方法。
（項目７）
前記第３の残余分中の前記少量成分の重量パーセントおよび前記液体供給物中の前記少量成分の重量パーセントのうちの低い方は、前記第３の残余分中の前記少量成分の重量パーセントおよび前記液体供給物中の前記少量成分の重量パーセントのうちの高い方の少なくとも約０．９９倍である、項目１−２のうちのいずれか１項に記載の方法。
（項目８）
液体供給物の少量成分を濃縮する方法であって、
主要成分と少量成分とを含む前記液体供給物を受け取る第１のフィルタ内の濾過媒体を横断する液圧差を確立することにより、前記液体供給物に対して前記主要成分が富化された第１の透過物と、前記液体供給物に対して前記少量成分が富化された第１の残余分とを生産することと、
前記第１の透過物の少なくとも一部を受け取る第２のフィルタ内の濾過媒体を横断する液圧差を確立することにより、前記第１の透過物に対して前記主要成分が富化された第２の透過物と、前記第１の透過物に対して前記少量成分が富化された第２の残余分とを生産することと、
前記第１の残余分の少なくとも一部を受け取る第３のフィルタ内の濾過媒体を横断する液圧差を確立することにより、前記第１の残余分に対して前記主要成分が富化された第３の透過物と、前記第１の残余分に対して前記少量成分が富化された第３の残余分とを生産することと、
前記第２の残余分の少なくとも一部を前記第３の透過物の少なくとも一部と混合することと
を含み、
前記少量成分は、ある重量パーセントにおいて前記第２の残余分内に存在し、前記少量成分は、ある重量パーセントにおいて前記第３の透過物内に存在し、
前記第２の残余分中の前記少量成分の重量パーセントおよび前記第３の透過物中の前記少量成分の重量パーセントのうちの低い方は、前記第２の残余分中の前記少量成分の重量パーセントおよび前記第３の透過物中の前記少量成分の重量パーセントのうちの高い方の少なくとも約０．５倍である、方法。
（項目９）
液体供給物の少量成分を濃縮する方法であって、
主要成分と少量成分とを含む前記液体供給物を受け取る第１のフィルタ内の濾過媒体を横断する液圧差を確立することにより、前記液体供給物に対して前記主要成分が富化された第１の透過物と、前記液体供給物に対して前記少量成分が富化された第１の残余分とを生産することと、
前記第１の透過物の少なくとも一部を受け取る第２のフィルタ内の濾過媒体を横断する液圧差を確立することにより、前記第１の透過物に対して前記主要成分が富化された第２の透過物と、前記第１の透過物に対して前記少量成分が富化された第２の残余分とを生産することと、
前記第１の残余分の少なくとも一部を受け取る第３のフィルタ内の濾過媒体を横断する液圧差を確立することにより、前記第１の残余分に対して前記主要成分が富化された第３の透過物と、前記第１の残余分に対して前記少量成分が富化された第３の残余分とを生産することと、
前記第２の残余分の少なくとも一部を前記第３の透過物の少なくとも一部と混合することと
を含み、
前記第２の残余分の浸透圧および前記第３の透過物の浸透圧のうちの低い方は、前記第２の残余分の浸透圧および前記第３の透過物の浸透圧のうちの高い方の少なくとも約０．５倍である、方法。
（項目１０）
前記第２の残余分中の前記少量成分の重量パーセントおよび前記第３の透過物中の前記少量成分の重量パーセントのうちの低い方は、前記第２の残余分中の前記少量成分の重量パーセントおよび前記第３の透過物中の前記少量成分の重量パーセントのうちの高い方の少なくとも約０．７５倍である、項目８−９のうちのいずれか１項に記載の方法。
（項目１１）
前記第２の残余分中の前記少量成分の重量パーセントおよび前記第３の透過物中の前記少量成分の重量パーセントのうちの低い方は、前記第２の残余分中の前記少量成分の重量パーセントおよび前記第３の透過物中の前記少量成分の重量パーセントのうちの高い方の少なくとも約０．９倍である、項目８−９のうちのいずれか１項に記載の方法。
（項目１２）
前記第２の残余分中の前記少量成分の重量パーセントおよび前記第３の透過物中の前記少量成分の重量パーセントのうちの低い方は、前記第２の残余分中の前記少量成分の重量パーセントおよび前記第３の透過物中の前記少量成分の重量パーセントのうちの高い方の少なくとも約０．９５倍である、項目８−９のうちのいずれか１項に記載の方法。
（項目１３）
前記第２の残余分中の前記少量成分の重量パーセントおよび前記第３の透過物中の前記少量成分の重量パーセントのうちの低い方は、前記第２の残余分中の前記少量成分の重量パーセントおよび前記第３の透過物中の前記少量成分の重量パーセントのうちの高い方の少なくとも約０．９８倍である、項目８−９のうちのいずれか１項に記載の方法。
（項目１４）
前記第２の残余分中の前記少量成分の重量パーセントおよび前記第３の透過物中の前記少量成分の重量パーセントのうちの低い方は、前記第２の残余分中の前記少量成分の重量パーセントおよび前記第３の透過物中の前記少量成分の重量パーセントのうちの高い方の少なくとも約０．９９倍である、項目８−９のうちのいずれか１項に記載の方法。
（項目１５）
前記第２の残余分と前記第３の透過物との混合物の少なくとも一部を受け取る第４のフィルタの濾過媒体を横断する液圧差を確立することにより、前記第２の残余分と前記第３の透過物との混合物に対して前記主要成分が富化された第４の透過物と、前記第２の残余分と前記第３の透過物との混合物に対して前記少量成分が富化された第４の残余分とを生産することを含む、項目８−１４のいずれか１項に記載の方法。
（項目１６）
前記第４の残余分の少なくとも一部を前記第１のフィルタに再循環させることを含む、項目１５に記載の方法。
（項目１７）
前記少量成分は、ある重量パーセントにおいて前記第４の残余分内に存在し、
前記少量成分は、ある重量パーセントにおいて前記液体供給物内に存在し、
前記第４の残余分中の前記少量成分の重量パーセントおよび前記液体供給物中の前記少量成分の重量パーセントのうちの低い方は、前記第４の残余分中の前記少量成分の重量パーセントおよび前記液体供給物中の前記少量成分の重量パーセントのうちの高い方の少なくとも約０．５倍である、項目１６に記載の方法。
（項目１８）
前記少量成分は、ある重量パーセントにおいて前記第４の残余分内に存在し、
前記少量成分は、ある重量パーセントにおいて前記液体供給物内に存在し、
前記第４の残余分中の前記少量成分の重量パーセントおよび前記液体供給物中の前記少量成分の重量パーセントのうちの低い方は、前記第４の残余分中の前記少量成分の重量パーセントおよび前記液体供給物中の前記少量成分の重量パーセントのうちの高い方の少なくとも約０．７５倍である、
項目１６に記載の方法。
（項目１９）
前記少量成分は、ある重量パーセントにおいて前記第４の残余分内に存在し、
前記少量成分は、ある重量パーセントにおいて前記液体供給物内に存在し、
前記第４の残余分中の前記少量成分の重量パーセントおよび前記液体供給物中の前記少量成分の重量パーセントのうちの低い方は、前記第４の残余分中の前記少量成分の重量パーセントおよび前記液体供給物中の前記少量成分の重量パーセントのうちの高い方の少なくとも約０．９倍である、項目１６に記載の方法。
（項目２０）
前記少量成分は、ある重量パーセントにおいて前記第４の残余分内に存在し、
前記少量成分は、ある重量パーセントにおいて前記液体供給物内に存在し、
前記第４の残余分中の前記少量成分の重量パーセントおよび前記液体供給物中の前記少量成分の重量パーセントのうちの低い方は、前記第４の残余分中の前記少量成分の重量パーセントおよび前記液体供給物中の前記少量成分の重量パーセントのうちの高い方の少なくとも約０．９５倍である、項目１６に記載の方法。
（項目２１）
前記少量成分は、ある重量パーセントにおいて前記第４の残余分内に存在し、
前記少量成分は、ある重量パーセントにおいて前記液体供給物内に存在し、
前記第４の残余分中の前記少量成分の重量パーセントおよび前記液体供給物中の前記少量成分の重量パーセントのうちの低い方は、前記第４の残余分中の前記少量成分の重量パーセントおよび前記液体供給物中の前記少量成分の重量パーセントのうちの高い方の少なくとも約０．９８倍である、項目１６に記載の方法。
（項目２２）
前記少量成分は、ある重量パーセントにおいて前記第４の残余分内に存在し、
前記少量成分は、ある重量パーセントにおいて前記液体供給物内に存在し、
前記第４の残余分中の前記少量成分の重量パーセントおよび前記液体供給物中の前記少量成分の重量パーセントのうちの低い方は、前記第４の残余分中の前記少量成分の重量パーセントおよび前記液体供給物中の前記少量成分の重量パーセントのうちの高い方の少なくとも約０．９９倍である、項目１６に記載の方法。
（項目２３）
前記第４の残余分の浸透圧および前記液体供給物の浸透圧のうちの低い方は、前記第４の残余分の浸透圧および前記液体供給物の浸透圧のうちの高い方の少なくとも約０．５０倍である、項目１６−２２のうちのいずれか１項に記載の方法。
（項目２４）
前記主要成分は、非イオン性であり、約１５０ｇ／モルを下回る分子量を有する、項目１−２３のうちのいずれか１項に記載の方法。
（項目２５）
前記主要成分は、水である、項目２４に記載の方法。
（項目２６）
前記少量成分は、非イオン性であり、約１５０ｇ／モルを下回る分子量を有する、項目１−２５のうちのいずれか１項に記載の方法。
（項目２７）
前記少量成分は、エタノールである、項目２６に記載の方法。
（項目２８）
前記液体供給物中の前記少量成分の濃度は、少なくとも重量で約０．００１％である、項目１−２７のうちのいずれか１項に記載の方法。
（項目２９）
前記液体供給物中の前記少量成分の濃度は、少なくとも重量で約０．０１％である、項目１−２７のうちのいずれか１項に記載の方法。
（項目３０）
前記液体供給物中の前記少量成分の濃度は、少なくとも重量で約０．１％である、項目１−２７のうちのいずれか１項に記載の方法。
（項目３１）
前記液体供給物中の前記少量成分の濃度は、少なくとも重量で約１％である、項目１−２７のうちのいずれか１項に記載の方法。
（項目３２）
前記少量成分は、重量で前記液体供給物中で２番目に豊富な成分である、項目１−２７のうちのいずれか１項に記載の方法。
（項目３３）
前記第１のフィルタ、前記第２のフィルタ、および／または前記第３のフィルタの濾過媒体に関する前記少量成分の排除率は、約１０％〜約９９％である、項目１−３２のうちのいずれか１項に記載の方法。
（項目３４）
前記第１のフィルタ、前記第２のフィルタ、および／または前記第３のフィルタの濾過媒体に関する前記少量成分の排除率は、約１０％〜約９５％である、項目１−３２のうちのいずれか１項に記載の方法。
（項目３５）
前記第１のフィルタ、前記第２のフィルタ、および／または前記第３のフィルタの濾過媒体に関する前記少量成分の排除率は、約３５％〜約９０％である、項目１−３２のうちのいずれか１項に記載の方法。
（項目３６）
前記第１のフィルタ、前記第２のフィルタ、および／または前記第３のフィルタの濾過媒体に関する前記少量成分の排除率は、約６０％〜約９０％である、項目１−３２のうちのいずれか１項に記載の方法。
（項目３７）
前記第１のフィルタと前記第２のフィルタとは、直接流体的に接続されている、項目１−３６のうちのいずれか１項に記載の方法。
（項目３８）
前記第２のフィルタと前記第３のフィルタとは、直接流体的に接続されている、項目１−３６のうちのいずれか１項に記載の方法。
（項目３９）
前記第１のフィルタの濾過媒体、前記第２のフィルタの濾過媒体、および前記第３のフィルタの濾過媒体のうちの少なくとも１つは、ポリマー濾過膜を備えている、項目１−３８のうちのいずれか１項に記載の方法。
（項目４０）
前記第４のフィルタの濾過媒体は、濾過膜を備えている、項目１５−３９のうちのいずれか１項に記載の方法。
（項目４１）
前記濾過膜は、逆浸透膜を備えている、項目３９−４０のうちのいずれか１項に記載の方法。
（項目４２）
前記濾過膜は、ナノ濾過膜を備えている、項目３９−４０のうちのいずれか１項に記載の方法。
（項目４３）
前記濾過膜は、限外濾過膜を備えている、項目３９−４０のうちのいずれか１項に記載の方法。
（項目４４）
濾過システムであって、
第１の濾過媒体を備えている第１のフィルタであって、前記第１の濾過媒体は、前記第１のフィルタの透過物側および残余分側を画定し、前記第１のフィルタの前記残余分側は、供給流に流体的に接続されている、第１のフィルタと、
第２の濾過媒体を備えている第２のフィルタであって、前記第２の濾過媒体は、前記第２のフィルタの透過物側および残余分側を画定し、前記第２のフィルタの前記残余分側は、前記第１のフィルタの前記透過物側に流体的に接続されている、第２のフィルタと、
第３の濾過媒体を備えている第３のフィルタであって、前記第３の濾過媒体は、前記第３のフィルタの透過物側および残余分側を画定し、前記第３のフィルタの前記残余分側は、前記第２のフィルタの前記残余分側に流体的に接続されている、第３のフィルタと、
前記第３のフィルタの前記残余分側と前記第１のフィルタの前記残余分側との間の流体接続と
を備えている、濾過システム。
（項目４５）
濾過システムであって、
第１の濾過媒体を備えている第１のフィルタであって、前記第１の濾過媒体は、前記第１のフィルタの透過物側および残余分側を画定し、前記第１のフィルタの前記残余分側は、供給流に流体的に接続されている、第１のフィルタと、
第２の濾過媒体を備えている第２のフィルタであって、前記第２の濾過媒体は、前記第２のフィルタの透過物側および残余分側を画定し、前記第２のフィルタの前記残余分側は、前記第１のフィルタの前記透過物側に流体的に接続されている、第２のフィルタと、
第３の濾過媒体を備えている第３のフィルタであって、前記第３の濾過媒体は、前記第３のフィルタの透過物側および残余分側を画定し、前記第３のフィルタの前記残余分側は、前記第１のフィルタの前記残余分側に流体的に接続されている、第３のフィルタと、
前記第２のフィルタの前記残余分側と前記第３のフィルタの前記透過物側との間の流体接続と
を備えている、濾過システム。
（項目４６）
第４の濾過媒体を備えている第４のフィルタを備え、前記第４の濾過媒体は、前記第４のフィルタの透過物側および残余分側を画定し、前記第４のフィルタの前記残余分側は、前記第２のフィルタの前記残余分側および前記第３のフィルタの前記透過物側に流体的に接続されている、項目４５に記載のシステム。
（項目４７）
前記第４のフィルタの前記残余分側と前記第１のフィルタの前記残余分側との間の流体接続を備えている、項目４６に記載のシステム。
（項目４８）
前記第１のフィルタ、前記第２のフィルタ、および前記第３のフィルタのうちの少なくとも１つは、前記濾過媒体が格納されている容器を備え、前記容器は、破裂することなく少なくとも約３９００ｐｓｉゲージの内部液圧に耐えるように構成されている、項目４４−４７のうちのいずれか１項に記載のシステム。
（項目４９）
前記第２のフィルタおよび前記第３のフィルタに流体的に接続され、液体を前記第２のフィルタから前記第３のフィルタに輸送するように構成されているポンプを備え、前記ポンプは、故障することなく少なくとも約４００ｐｓｉの液圧に耐えるように構成されている、項目４４−４７のうちのいずれか１項に記載のシステム。
（項目５０）
前記第１のフィルタと前記第２のフィルタとは、直接流体的に接続されている、項目４４−４９のうちのいずれか１項に記載のシステム。
（項目５１）
前記第２のフィルタと前記第３のフィルタとは、直接流体的に接続されている、項目４４−５０のうちのいずれか１項に記載のシステム。
（項目５２）
前記第１のフィルタの濾過媒体、前記第２のフィルタの濾過媒体、および前記第３のフィルタの濾過媒体のうちの少なくとも１つは、濾過膜を備えている、項目４４−５１のうちのいずれか１項に記載のシステム。
（項目５３）
前記第４のフィルタの濾過媒体は、濾過膜を備えている、項目４６−５２のうちのいずれか１項に記載のシステム。
（項目５４）
前記濾過膜は、逆浸透膜を備えている、項目５２−５３のうちのいずれか１項に記載のシステム。
（項目５５）
前記濾過膜は、ナノ濾過膜を備えている、項目５２−５３のうちのいずれか１項に記載のシステム。
（項目５６）
前記濾過膜は、限外濾過膜を備えている、項目５２−５３のうちのいずれか１項に記載のシステム。